(57)【要約】【課題】  受信信号の中から所定放送チャンネルのテレビ放送信号を選局して所定の処理を施し、その処理後の信号を所定伝送チャンネルのテレビ放送信号に変換して出力する装置において、選局チャンネルと出力チャンネルを簡単且つ正確に設定できるようにする。【解決手段】  所定放送チャンネルのテレビ放送信号を選局部３０で選局して、映像ＩＦ信号を抽出し、その抽出した映像ＩＦ信号をＩＦ直交検波部３２で直交検波し、デジタル処理部３４でデジタル処理することにより、ビート成分を除去した映像信号を生成し、その映像信号と音声ＩＦ信号とから所定伝送チャンネルのテレビ放送信号を生成して出力するオフセットビートキャンセラにおいて、選局部３０側の選局チャンネルは固定しておき、変調部３６が生成するテレビ放送信号の放送（出力）チャンネルと出力レベルは、出力チャンネル設定部４８及びボリュームＶＲを介して任意に設定できるようにする。【選択図】  図２
2004304759.tif 000002
【特許請求の範囲】
【請求項１】
受信アンテナから入力される受信信号に含まれる所定放送チャンネルのテレビ放送信号を所定周波数帯の中間周波信号に変換して出力する選局手段と、
該選局手段から出力される中間周波信号に対して所定の処理を施す信号処理手段と、
該信号処理手段による信号処理後の中間周波信号から、予め設定された伝送用放送チャンネルのテレビ放送信号を生成するテレビ放送信号生成手段と、
を備え、該テレビ放送信号生成手段にて生成されたテレビ放送信号を出力する信号処理装置であって、
前記テレビ放送信号生成手段が生成するテレビ放送信号の放送チャンネルを外部操作によって設定するための出力チャンネル設定手段を備え、
前記テレビ放送信号生成手段は、該出力チャンネル設定手段により設定された放送チャンネルのテレビ放送信号を生成し、
前記選局手段は、予め設定された特定放送チャンネルのテレビ放送信号を選局することを特徴とする信号処理装置。
【請求項２】
受信アンテナから入力される受信信号の中から、希望波に対して送信周波数が所定周波数オフセットされた妨害波を含む所定放送チャンネルのテレビ放送信号を選局して、該テレビ放送信号の映像中間周波数信号及び音声中間周波信号を出力する選局手段と、
該選局手段から出力される映像中間周波信号を直交検波することにより、該映像中間周波信号に含まれる妨害波信号成分を抽出し、該抽出した妨害波信号成分を除去した映像信号若しくは映像中間周波信号を生成する映像信号処理手段と、
該映像信号処理手段にて生成された映像信号若しくは映像中間周波信号と、前記選局復調手段から出力される音声中間周波信号とに基づき、所定放送チャンネルのテレビ放送信号を生成するテレビ放送信号生成手段と、
を備え、該生成されたテレビ放送信号を受信信号として出力するオフセットビートキャンセラであって、
前記テレビ放送信号生成手段が生成するテレビ放送信号の放送チャンネルを外部操作によって設定するための出力チャンネル設定手段を備え、
前記テレビ放送信号生成手段は、該出力チャンネル設定手段により設定された放送チャンネルのテレビ放送信号を生成し、
前記選局手段は、予め設定された特定放送チャンネルのテレビ放送信号を選局することを特徴とするオフセットビートキャンセラ。
【請求項３】
前記テレビ放送信号生成手段が生成したテレビ放送信号の出力レベルを外部操作によって設定するための出力レベル設定手段と、
前記テレビ放送信号生成手段が生成したテレビ放送信号を、該テレビ放送信号の信号レベルが前記出力レベル設定手段にて設定された出力レベルとなるように増幅する増幅手段と、
を備えたことを特徴とする請求項２記載のオフセットビートキャンセラ。
【請求項４】
前記映像信号処理手段は、前記映像中間周波信号を直交検波することによりＩ信号とＱ信号とを生成し、該生成したＱ信号をＡ／Ｄ変換してデジタル処理することにより前記Ｉ信号に含まれる妨害波信号成分を生成し、該生成した妨害波信号成分を前記Ｉ信号から除去することにより、前記妨害波信号成分を除去した映像信号を生成することを特徴とする請求項２又は請求項３に記載のオフセットビートキャンセラ。
【発明の詳細な説明】
【技術分野】
【０００１】
本発明は、受信信号の中から所定放送チャンネルのテレビ放送信号を選局して、所定周波数帯の中間周波信号に変換し、その中間周波信号に対して所定の処理を施した後、伝送用放送チャンネルのテレビ放送信号に変換して出力する信号処理装置、及び、その信号処理装置の一つであるオフセットビートキャンセラに関する。
【背景技術】
【０００２】
従来より、近接する地域で同一の放送チャンネルを利用したテレビ放送を行う際には、各テレビ放送信号の送信周波数に±１０．０１ｋＨｚのオフセットを設けて、テレビ受像器で映像信号を再生した際に画面に現れる縞模様（ビート）を目立たなくするようにしている。しかし、妨害波の量が多ければビートも顕著に現れることになるし、聴視者からはよりよい画質の要求がある。
【０００３】
そこで、近年では、こうしたビート障害を防止するために、ビート障害が発生する放送チャンネルのテレビ放送信号を所定周波数帯に周波数変換した映像中間周波信号（以下、映像ＩＦ信号ともいう）から、希望波の映像搬送波を抽出し、この映像搬送波を用いて映像ＩＦ信号を直交検波することにより、妨害波信号成分を含むＱ信号を生成し、更に、アナログフィルタを用いて、その生成したＱ信号から妨害波信号成分を抽出して、この妨害波信号成分を映像ＩＦ信号から除去するオフセットビートキャンセラが提案されている（例えば、特許文献１、特許文献２参照）。
【特許文献１】特開平８−９８０６１号公報
【特許文献２】特開平９−５５６７１号公報
【発明の開示】
【発明が解決しようとする課題】
【０００４】
ところで、上記提案のオフセットビートキャンセラは、何れも、映像ＩＦ信号を信号処理することによって、妨害波信号成分を除去した映像ＩＦ信号を生成するものであるため、ホーム共同受信等で複数の受信端末（テレビチューナ等）に伝送される受信信号の中から妨害波信号成分を除去するようにするには、受信信号の中から妨害波を除去すべき放送チャンネルのテレビ放送信号を選局する選局部や、妨害波信号成分を除去した映像ＩＦ信号を用いてテレビ放送信号を生成する変調部を別途設ける必要がある。
【０００５】
また、このようにオフセットビートキャンセラに選局部及び変調部を設けた場合、選局部にて選局するテレビ放送信号の放送チャンネル（以下、選局チャンネルともいう）と変調部で生成するテレビ放送信号の放送チャンネル（以下、出力チャンネルともいう）とを一致させると、受信信号には妨害波信号成分を除去する前のテレビ放送信号が含まれていることから、オフセットビートキャンセラにて妨害波信号成分を除去したテレビ放送信号を元の受信信号にそのまま混合することができなくなる。
【０００６】
このため、オフセットビートキャンセラに選局部及び変調部を設けて、妨害波信号成分除去後のテレビ放送信号を他の受信信号と一緒に受信端末まで伝送するようにするには、選局部の選局チャンネルと変調部の出力チャンネルとを異なるチャンネルに設定する必要がある。
【０００７】
そして、このように選局チャンネル及び出力チャンネルを異なるチャンネルに設定するためには、オフセットビートキャンセラに選局部及び変調部を組み込む際に、これら各部の選局チャンネル及び出力チャンネルを異なるチャンネルに固定しておけばよいが、これら各チャンネルを固定してしまうと、使用者は、妨害波信号成分除去後のテレビ放送を希望する放送チャンネルで視聴することができず、使い勝手が悪いという問題が発生する。
【０００８】
一方、この問題は、選局チャンネル及び出力チャンネルを使用者自らが任意のチャンネルに設定できるようにすれば解決できるが、このようにすると、オフセットビートキャンセラを設置する際のチャンネルの設定操作が面倒になり、しかも、各チャンネルが誤って設定されることも考えられる。
【０００９】
またこうした問題は、オフセットビートキャンセラに限らず、受信信号の中から所定放送チャンネルのテレビ放送信号を選局することにより、そのテレビ放送信号を所定周波数帯の中間周波信号に変換し、その変換した中間周波信号に対して所定の処理（例えば、ゴースト除去処理、レベル調整処理等）を施した後、伝送用として予め設定された放送チャンネルのテレビ放送信号に再度変換して出力する装置（ゴースト除去装置、チャンネル専用増幅装置等）であれば、同様に発生する。
【００１０】
本発明は、こうした問題に鑑みなされたものであり、受信アンテナから入力される受信信号の中から所定放送チャンネルのテレビ放送信号を選局して、所定の信号処理を施し、その信号処理後の信号を予め設定された伝送用放送チャンネルのテレビ放送信号に変換して出力する信号処理装置において、信号処理すべきテレビ放送信号の選局チャンネルと出力チャンネルとを簡単且つ正確に設定できるようにすることを目的とする。
【課題を解決するための手段】
【００１１】
かかる目的を達成するためになされた請求項１記載の発明は、受信アンテナから入力される受信信号に含まれる所定放送チャンネルのテレビ放送信号を所定周波数帯の中間周波信号に変換して出力する選局手段と、該選局手段から出力される中間周波信号に対して所定の処理を施す信号処理手段と、該信号処理手段による信号処理後の中間周波信号から、予め設定された伝送用放送チャンネルのテレビ放送信号を生成するテレビ放送信号生成手段とを備え、該テレビ放送信号生成手段にて生成されたテレビ放送信号を出力する信号処理装置であって、前記テレビ放送信号生成手段が生成するテレビ放送信号の放送チャンネルを外部操作によって設定するための出力チャンネル設定手段を備え、前記テレビ放送信号生成手段は、該出力チャンネル設定手段により設定された放送チャンネルのテレビ放送信号を生成し、前記選局手段は、予め設定された特定放送チャンネルのテレビ放送信号を選局することを特徴とする。
【００１２】
このように、本発明の信号処理装置においては、選局手段が所定周波数対の中間周波信号に変換するテレビ放送信号の放送チャンネル（選局チャンネル）については、予め設定されており、テレビ放送信号生成手段が生成するテレビ放送信号の放送チャンネル（伝送用放送チャンネル、つまり、出力チャンネル）については、出力チャンネル設定手段を介して任意に設定できるようにされている。
【００１３】
このため、本発明の信号処理装置によれば、設置時に選局手段における選局チャンネルが誤設定されるのを防止しつつ、信号処理後のテレビ放送信号の放送チャンネルを使用者が希望する放送チャンネルに設定できることになり、信号処理装置の操作性を向上することができる。
【００１４】
次に、請求項２に記載の発明は、上記請求項１に記載の発明をオフセットビートキャンセラに適用したものであり、受信アンテナから入力される受信信号の中から、希望波に対して送信周波数が所定周波数オフセットされた妨害波を含む所定放送チャンネルのテレビ放送信号を選局して、該テレビ放送信号の映像中間周波数信号及び音声中間周波信号を出力する選局手段と、該選局手段から出力される映像中間周波信号を直交検波することにより、該映像中間周波信号に含まれる妨害波信号成分を抽出し、該抽出した妨害波信号成分を除去した映像信号若しくは映像中間周波信号を生成する映像信号処理手段と、該映像信号処理手段にて生成された映像信号若しくは映像中間周波信号と、前記選局復調手段から出力される音声中間周波信号とに基づき、所定放送チャンネルのテレビ放送信号を生成するテレビ放送信号生成手段とを備え、該生成されたテレビ放送信号を受信信号として出力するオフセットビートキャンセラであって、前記テレビ放送信号生成手段が生成するテレビ放送信号の放送チャンネルを外部操作によって設定するための出力チャンネル設定手段を備え、前記テレビ放送信号生成手段は、該出力チャンネル設定手段により設定された放送チャンネルのテレビ放送信号を生成し、前記選局手段は、予め設定された特定放送チャンネルのテレビ放送信号を選局することを特徴とする。
【００１５】
つまり、この請求項２に記載のオフセットビートキャンセラにおいては、選局手段が選局するテレビ放送信号の放送チャンネル（選局チャンネル）については予め設定されており、テレビ放送信号生成手段が生成するテレビ放送信号の放送チャンネル（出力チャンネル）については、出力チャンネル設定手段を介して任意に設定できるようにされているため、設置時に選局手段における選局チャンネルが誤設定されるのを防止しつつ、妨害波信号成分除去後のテレビ放送信号の放送チャンネルを使用者が希望する放送チャンネルに設定できることになり、オフセットビートキャンセラの操作性を向上することができる。
【００１６】
次に、請求項３に記載の発明は、請求項２に記載のオフセットビートキャンセラにおいて、前記テレビ放送信号生成手段が生成したテレビ放送信号の出力レベルを外部操作によって設定するための出力レベル設定手段と、前記テレビ放送信号生成手段が生成したテレビ放送信号を、該テレビ放送信号の信号レベルが前記出力レベル設定手段にて設定された出力レベルとなるように増幅する増幅手段と、を備えたことを特徴とする。
【００１７】
このように構成された請求項３に記載のオフセットビートキャンセラによれば、妨害波信号成分除去後のテレビ放送信号を出力する際の出力チャンネルだけでなく、そのテレビ放送信号の出力レベルについても出力レベル設定手段を介して設定できる。このため、オフセットビートキャンセラを設置する際に、オフセットビートキャンセラから出力されるテレビ放送信号の信号レベルを、その設置場所に適した信号レベルに極めて簡単に設定できることになり、設置時の作業性を向上できる。
【００１８】
ここで、映像信号処理手段としては、従来技術の項で説明した従来のオフセットビートキャンセラと同様に、選局手段から出力される映像中間周波信号の中から希望波の映像搬送波を抽出し、この映像搬送波を用いて映像中間周波信号を直交検波することにより、妨害波信号成分を含むＱ信号を生成し、その生成したＱ信号から妨害波信号成分を抽出して、この妨害波信号成分を映像中間周波信号から除去するように構成してもよい。
【００１９】
しかし、こうした従来のオフセットビートキャンセラでは、直交検波後のＱ信号から妨害波信号成分を抽出するのにアナログフィルタを用いているため、フィルタ特性を安定化させるために温度変化の小さい環境下で使用しなければならないという問題がある。
【００２０】
そこで、本発明のオフセットビートキャンセラを温度変化の大きい環境下で使用できるようにするには、映像信号処理手段を、請求項４に記載のように構成するとよい。
即ち、請求項４に記載のオフセットビートキャンセラにおいて、映像信号処理手段は、映像中間周波信号を直交検波することによりＩ信号とＱ信号とを生成し、その生成したＱ信号をＡ／Ｄ変換してデジタル処理することによりＩ信号に含まれる妨害波信号成分を生成し、その生成した妨害波信号成分をＩ信号から除去することにより、妨害波信号成分を除去した映像信号を生成するように構成されている。
【００２１】
従って、この請求項４に記載のオフセットビートキャンセラによれば、映像信号処理手段において、Ｑ信号をデジタル処理することにより妨害波信号成分を生成することから、妨害波信号成分を周囲温度の影響を受けることなく安定して生成することができるようになり、例えば、ホーム共同受信等を行うために温度変化の大きい環境下に設置しても、受信信号から妨害波信号成分を良好に除去することができるようになる。
【発明を実施するための最良の形態】
【００２２】
以下に本発明の実施形態を図面と共に説明する。
図１は本発明が適用された第１実施例のテレビ放送受信システム全体の構成を表わす概略構成図である。なお、本実施例のテレビ放送受信システムは日本国内用のものであり、以下に説明するＶＨＦ帯及びＵＨＦ帯のテレビ放送は、帯域幅が６ＭＨｚのＮＴＳＣ方式で行われるものとする。
【００２３】
図１に示す如く、本実施例のテレビ放送受信システムは、屋外に設置したアンテナからの受信信号を伝送線を介して建造物内の各部屋に伝送する共同受信システムであり、テレビ放送受信用の受信アンテナとして、地上局から送信されたＶＨＦ帯及びＵＨＦ帯の放送電波をそれぞれ受信するＶＨＦアンテナ２及びＵＨＦアンテナ４と、放送衛星（ＢＳ）や通信衛星（ＣＳ）からの送信電波を受信するＢＳ／ＣＳアンテナ６とを備える。
【００２４】
なお、ＢＳ／ＣＳアンテナ６は、反射鏡６ａと、支持腕を介して反射鏡６ａの焦点位置に配置された受信部６ｂとからなり、受信部６ｂに内蔵されたコンバータによって、受信信号をＢＳ／ＣＳ−ＩＦ信号に周波数変換（ダウンコンバート）して出力する。
【００２５】
そして、これら各受信アンテナ２〜６からの受信信号（ＶＨＦ受信信号、ＵＨＦ受信信号、ＢＳ／ＣＳ−ＩＦ信号）は、それぞれ、同軸ケーブルからなる伝送線を介して、ブースタ（増幅器）８まで伝送され、このブースタ８にて所定レベルまで増幅される。また、ブースタ８にて増幅された各受信信号（ＶＨＦ受信信号、ＵＨＦ受信信号、ＢＳ／ＣＳ−ＩＦ信号）は、ブースタ８内で混合されて、後段のオフセットビートキャンセラ２０に入力され、このオフセットビートキャンセラ２０から端末側の伝送線上に出力される。
【００２６】
また、端末側の伝送線には、分配器１０が接続されており、オフセットビートキャンセラ２０から出力された受信信号は、分配器１０にて複数系統（図では４系統）に分配され、更に、その分配された各系統の伝送線上に直列に接続された複数の直列ユニット１２を介して、各直列ユニット１２が設置された各部屋の受信端末まで伝送される。
【００２７】
次に、このオフセットビートキャンセラ２０の構成を図２を用いて詳しく説明する。
図２に示すように、オフセットビートキャンセラ２０は、ブースタ８から出力された受信信号を伝送線（同軸ケーブル）を介して入力するための入力端子Ｔｉｎと、受信信号を出力するための出力端子Ｔｏｕｔとを備える。
【００２８】
そして、入力端子Ｔｉｎに入力された受信信号の内、ＢＳ／ＣＳ−ＩＦ信号は、この信号のみを選択的に通過させるハイパスフィルタ（以下、ハイパスフィルタをＨＰＦと記載する）２４を介して内部に取り込まれ、ビートキャンセラ２０内に形成されたＢＳ／ＣＳ−ＩＦ信号用の通過経路、及び、出力端子Ｔｏｕｔ側に設けられたＨＰＦ２６を介して、出力端子Ｔｏｕｔまで伝送されて、出力端子Ｔｏｕｔから端末側に出力される。
【００２９】
また、入力端子Ｔｉｎに入力された受信信号の内、ＶＨＦ受信信号及びＵＨＦ受信信号は、ＶＨＦ及びＵＨＦ帯の受信信号のみを選択的に通過させるローパスフィルタ（以下、ローパスフィルタをＬＰＦと記載する）２２を介して内部に取り込まれ、分配回路２８にて２分配される。そして、この分配回路２８にて分配された一方の受信信号（ＶＨＦ・ＵＨＦ信号）は、ビートキャンセラ２０内に形成されたＶＨＦ・ＵＨＦ信号用の通過経路を介して、出力端子Ｔｏｕｔ側の混合回路４２まで伝送される。
【００３０】
一方、分配回路２８にて分配された他方の受信信号は、ＵＨＦ選局部３０に入力される。このＵＨＦ選局部３０は、制御部５０から選局チャンネル制御信号によって指定されたＵＨＦ帯で所定放送チャンネルのテレビ放送信号を選局して、映像搬送波が所定周波数（例えば、５８．７５ＭＨｚ）となる映像中間周波信号（映像ＩＦ信号）と、音声搬送波がＮＴＳＣ方式で規定された所定周波数（４．５ＭＨｚ）となる音声中間周波信号（音声ＩＦ信号）とを出力する。なお、このＵＨＦ選局部３０は、本発明の選局手段に相当する。
【００３１】
そして、ＵＨＦ選局部３０から出力された映像ＩＦ信号は、直交検波部３２に入力され、この直交検波部３２にて、映像ＩＦ信号に含まれる映像搬送波を用いて直交検波される。また、この直交検波部３２で直交検波されたＩ信号とＱ信号とは、それぞれ、ビートキャンセル用のデジタル処理部３４に入力され、デジタル処理部３４にて、妨害波信号成分を除去したベースバンドの映像信号に変換される。
【００３２】
そして、この映像信号と、ＵＨＦ選局部３０から出力された音声ＩＦ信号とは、それぞれ、ＵＨＦ変調部３６に入力され、このＵＨＦ変調部３６にて、制御部５０から出力チャンネル制御信号によって指定された所定放送チャンネル（出力チャンネル）のＵＨＦ帯のテレビ放送信号に変換される。
【００３３】
なお、このＵＨＦ変調部３６は、本発明のテレビ放送信号生成手段に相当するものであるが、このテレビ放送信号生成手段としては、本実施例のＵＨＦ変調部３６のように、必ずしもＵＨＦ帯のテレビ放送信号を生成する必要はなく、ＶＨＦ帯のチャンネル或いはＣＡＴＶチャンネルのテレビ放送信号を生成するようにしてもよい。
【００３４】
次に、このＵＨＦ変調部３６にて生成されたテレビ放送信号は、ＵＨＦ帯のテレビ放送信号のみを選択的に通過させるバンドパスフィルタ（以下、バンドパスフィルタをＢＰＦと記載する）３８を介して、ゲインコントロール（ＧＣ）用のボリュームＶＲを備えた増幅部４０に入力され、この増幅部４０にて所定レベルまで増幅された後、混合回路４２に入力される。
【００３５】
この結果、混合回路４２では、ＶＨＦ・ＵＨＦ信号用の通過経路を通過したＶＨＦ・ＵＨＦ信号とＵＨＦ変調部３６で生成された所定出力チャンネルのテレビ放送信号とが混合されることになる。
【００３６】
そして、この混合回路４２にて混合されたＶＨＦ・ＵＨＦ信号は、増幅回路４４にて所定レベルまで更に増幅された後、ＶＨＦ及びＵＨＦ帯の受信信号のみを選択的に通過させるＬＰＦ４６を介して、出力端子Ｔｏｕｔまで伝送され、出力端子Ｔｏｕｔから、ＢＳ／ＣＳ−ＩＦ信号と一緒に端末側に出力される。
【００３７】
ここで、デジタル処理部３４と直交検波部３２とは、本発明の映像信号処理手段に相当するものであり、本実施例では、デジタル処理部３４において、Ｑ信号をデジタル処理することにより、Ｉ信号に含まれる妨害波信号成分を生成し、Ｉ信号からこの妨害波信号成分を除去する。
【００３８】
つまり、映像ＩＦ信号に含まれる希望波映像信号をＡ（ｔ）、その搬送波（映像搬送波）をｃｏｓ（ωｔ）とし、妨害波映像信号をＢ（ｔ）、その搬送波（映像搬送波）をｃｏｓ｛（ω＋δ）ｔ＋Φ｝とした場合、映像ＩＦ信号は、
映像ＩＦ信号＝Ａ（ｔ）ｃｏｓ（ωｔ）
＋Ｂ（ｔ）ｃｏｓ｛（ω＋δ）ｔ＋Φ｝
と記述でき、直交検波後のＩ信号及びＱ信号は、それぞれ、
Ｉ信号＝Ａ（ｔ）＋Ｂ（ｔ）ｃｏｓ（δｔ＋Φ）
Ｑ信号＝Ｂ（ｔ）ｓｉｎ（δｔ＋Φ）
となることから、デジタル処理部３４では、Ｑ信号をデジタル処理することにより、Ｉ信号に含まれる妨害波信号成分である「Ｂ（ｔ）ｃｏｓ（δｔ＋Φ）」を生成し、この妨害波信号成分をＩ信号から除去するのである。
【００３９】
具体的には、再生したテレビ画像からビートを除去するには、映像信号の低域成分（周波数：０〜数十ｋＨｚ）に関して妨害波信号成分を除去できれば充分であることから、デジタル処理部３４では、図３に示すように、まず、Ｑ信号をＡ／Ｄ変換部６０を介してデジタルデータとして取り込み、その取り込んだＱ信号を、ＬＰＦとして機能するフィルタ部６２にてフィルタ処理することにより、Ｑ信号の低域成分のみを抽出し、ビート成分生成部６４にて、その抽出したＱ信号の低域成分から、上記妨害波信号成分「Ｂ（ｔ）ｃｏｓ（δｔ＋Φ）」を生成する。
【００４０】
また、デジタル処理部３４では、Ｉ信号をＡ／Ｄ変換部６１を介してデジタルデータとして取り込み、その取り込んだＩ信号を、ＬＰＦとして機能するフィルタ部６３と、ＨＰＦとして機能するフィルタ部６７とを用いて、Ｉ信号の低域成分と高域成分とに分離する。
【００４１】
そして、ビート成分生成部６４から出力される妨害波信号成分は、ビート成分生成部６４の処理動作によって、各フィルタ部６３、６７を通過したＩ信号の低域成分及び高域成分よりも遅れることから、フィルタ部６３、６７を通過したＩ信号の低域成分及び高域成分を、ビート成分生成部６４で生成された妨害波信号成分と同期させるために、Ｉ信号の低域成分及び高域成分を、それぞれ、遅延処理部６５、６８で遅延処理する。
【００４２】
そして、最後に、減算処理部６６にて、遅延処理後のＩ信号の低域成分からビート成分生成部６４で生成された妨害波信号成分を減算する減算処理を行い、更に、その減算処理後のＩ信号の低域成分と遅延処理後のＩ信号の高域成分とを加算処理部６９にて加算処理することにより、妨害波信号成分を除去した映像信号（詳しくは映像データ）を生成し、これをＤ／Ａ変換部６９ａにてアナログの映像信号に変換した後、ＢＰＦ３８に出力する。
【００４３】
従って、デジタル処理部３４からは、オフセットビート障害の原因となる妨害波信号成分を除去した映像信号が出力されることになり、しかも、デジタル処理部３４では、直交検波後のＩ信号及びＱ信号を一旦デジタルデータに変換してデジタル処理することにより、妨害波信号成分を除去した映像信号を生成することから、周囲温度の影響を受けることなく、妨害波信号成分を除去した映像信号を安定して生成することができる。
【００４４】
次に、オフセットビートキャンセラ２０には、ＵＨＦ変調部３６が生成するテレビ放送信号の放送チャンネル（出力チャンネル）を外部操作によって設定できるようにするために、設定チャンネルを目視可能なディップスイッチ、ロータリスイッチ等からなる出力チャンネル設定部４８が設けられている。なお、この出力チャンネル設定部４８は、本発明の出力チャンネル設定手段に相当する。
【００４５】
そして、制御部５０は、マイクロコンピュータにて構成されており、この出力チャンネル設定部４８から入力される出力チャンネルの設定指令に従い、ＵＨＦ変調部３６がテレビ放送信号を生成する際の放送チャンネル（出力チャンネル）を制御する。
【００４６】
また、ＵＨＦ選局部３０の選局チャンネルは、予めＥＥＰＲＯＭ５２に記憶されており、制御部５０は、ＵＨＦ選局部３０の選局チャンネルを、このＥＥＰＲＯＭ５２に記憶された選局チャンネルに固定する。
【００４７】
なお、オフセットビートキャンセラ２０には、図示しないＤＣアダプタ等から例えば直流１５Ｖの直流電源を供給するための電源入力端子Ｔｄｃが設けられており、上述した各内部回路には、この電源入力端子Ｔｄｃに供給された直流電源から上述した内部回路を動作させるための各種電源電圧を生成する電源部５６を介して、動作用の電源電圧を供給するようにされている。
【００４８】
以上説明したように、本実施例のオフセットビートキャンセラ２０においては、選局手段としてのＵＨＦ選局部３０が選局するテレビ放送信号の放送チャンネル（選局チャンネル）については予め固定されており、テレビ放送信号生成手段としてのＵＨＦ変調部３６が生成するテレビ放送信号の放送チャンネル（出力チャンネル）については、出力チャンネル設定手段としての出力チャンネル設定部４８を介して、外部操作によって任意に設定できるようにされている。
【００４９】
このため、本実施例のオフセットビートキャンセラ２０によれば、設置時にＵＨＦ選局部３０の選局チャンネルが誤設定されるのを防止しつつ、妨害波信号成分除去後のテレビ放送信号の放送チャンネル（出力チャンネル）を使用者が希望する放送チャンネルに設定できることになり、オフセットビートキャンセラ２０を設置する際の操作性を向上することができる。
【００５０】
また、増幅部４０には、ゲインコントロール用のボリュームＶＲが設けられているため、使用者は、このボリュームＶＲを操作することによって、妨害波信号成分除去後のテレビ放送信号の出力レベルについても任意に設定できる。よって、本実施例のオフセットビートキャンセラ２０によれば、妨害波信号成分除去後のテレビ放送信号の出力レベルを、当該オフセットビートキャンセラ２０を設置する受信システムに適した信号レベルに極めて簡単に設定できることになり、これによっても、設置時の作業性を向上できる。
【００５１】
なお、本実施例では、増幅部４０に設けられたゲインコントロール用のボリュームＶＲが、本発明の出力レベル設定手段に相当し、増幅部４０が、本発明の増幅手段に相当する。
【００５２】
以上、本発明の一実施例について説明したが、本発明は上記実施例に限定されるものではなく、種々の態様を採ることができる。
例えば、上記実施例では、出力チャンネル設定部４８には、ディップスイッチやロータリスイッチ等を使用することで、出力チャンネルをその操作位置から容易に確認できるようにしているが、出力チャンネル設定部４８は、出力チャンネルの変更指令（アップ指令・ダウン指令）を入力する押しボタンにて構成し、制御部５０側で、その変更指令に従いＵＨＦ変調部３６の出力チャンネルを更新するようにしてもよい。
【００５３】
但し、この場合には、出力チャンネルの変更後に、出力チャンネルを確認できるように、出力チャンネルを表示するための表示手段を設け、少なくとも、出力チャンネル設定部４８が操作された際には、制御部５０が、その操作に応じて更新された出力チャンネルを表示するようにするとよい。
【００５４】
またこの場合、更に、出力チャンネル設定部４８の近傍、オフセットビートキャンセラのケース表面若しくは蓋の内面等に、設定した出力チャンネルを記録するための記録部材を設け、出力チャンネルの設定後は、使用者が、その記録部材に、設定した出力チャンネルを記録できるようにしてもよい。
【００５５】
また次に、上記実施例では、デジタル処理部３４において、Ｉ信号を低域成分と高域成分とに分離するものとして説明したが、Ｉ信号は必ずしも分離する必要はなく、単にＡ／Ｄ変換部６１でＡ／Ｄ変換したＩ信号をそのまま遅延処理部で遅延させて、そのＩ信号から妨害波信号成分を除去するようにしてもよい。
【００５６】
また、上記実施例では、妨害波信号成分を除去するためにデジタル処理部３４を用いるものとして説明したが、上述した従来装置のように、映像ＩＦ信号を直交検波することにより得られるＱ信号からアナログフィルタを用いて妨害波信号成分を抽出し、この妨害波信号成分を映像ＩＦ信号に対応した周波数にアップコンバートして、そのアップコンバート後の妨害波信号成分を映像ＩＦ信号から除去するようにしてもよい。但し、この場合には、オフセットビートキャンセラの特性が変化することのないよう、オフセットビートキャンセラを、温度変化が小さい環境下で使用する必要はある。
【００５７】
また、上記実施例では、オフセットビートキャンセラについて説明したが、本発明は、オフセットビートキャンセラに限らず、受信信号の中から所定放送チャンネルのテレビ放送信号を選局することにより、そのテレビ放送信号を所定周波数帯の中間周波信号に変換し、その変換した中間周波信号に対して所定の処理（例えば、ゴースト除去処理、レベル調整処理等）を施した後、伝送用として予め設定された放送チャンネルのテレビ放送信号に再度変換して出力する装置（ゴースト除去装置、チャンネル専用増幅装置等）であれば、上記実施例と同様に適用して同様の効果を得ることができる。
【図面の簡単な説明】
【００５８】
【図１】実施例のテレビ放送受信システム全体の構成を表す概略構成図である。
【図２】図１に示すオフセットビートキャンセラの構成を表すブロック図である。
【図３】図２に示すデジタル処理部の構成を表すブロック図である。
【符号の説明】
【００５９】
２…ＶＨＦアンテナ、４…ＵＨＦアンテナ、６…ＢＳ／ＣＳアンテナ、８…ブースタ、１０…分配器、１２…直列ユニット、２０…オフセットビートキャンセラ、２２，４６…ＬＰＦ、２４，２６…ＨＰＦ、２８…分配回路、３０…ＵＨＦ選局部、３２…直交検波部、３４…デジタル処理部、３６…ＵＨＦ変調部、３８…ＢＰＦ、４０…増幅部、４２…混合回路、４４…増幅回路、４８…出力チャンネル設定部、５０…制御部、５２…ＥＥＰＲＯＭ、５６…電源部、６０，６１…Ａ／Ｄ変換部、６２，６３，６７…フィルタ部、６４…ビート成分生成部、６５，６８…遅延処理部、６６…減算処理部、６９…加算処理部、６９ａ…Ｄ／Ａ変換部、Ｔｄｃ…電源入力端子、Ｔｉｎ…入力端子、Ｔｏｕｔ…出力端子、ＶＲ…ボリューム。
【図１】
2004304759.tif 000003
【図２】
2004304759.tif 000004
【図３】
2004304759.tif 000005